(57)【要約】  口腔表面上のプラークに結合可能な蛍光剤を表面上に適用させた口腔内の表面からプラークを検出及び除去するために適したデバイスを位置決めすることによる口腔を洗浄するためのデバイス及び方法。前記蛍光剤と接触させるとき、表面が実質的に同時に洗浄され、蛍光発光を提供する有効な波長の光で照射される。蛍光の部分が、収集され（ＡＰＶ１）、所定の閾値と比較される（ＰＰＴＶ）。ＡＰＶ１がＰＰＴＶ未満の場合、デバイスが別のセクションに移動される。ＡＰＶ１がＰＰＴＶ以上の場合、蛍光発光の別の部分が収集される（ＡＰＶ２）。ＡＰＶ１からＡＰＶ２までの縮小割合は、デバイスが別のセクションに移動されると決定する。
2013535235.tif 000002
【特許請求の範囲】
【請求項１】
口腔の表面のプラークを検出するためのデバイスであって、前記デバイスは、
前記口腔の前記表面に入射放射線を指向させるための放射線源と、
反射光及び蛍光発光を収集するための集光器と、
前記収集された反射光及び前記収集された蛍光発光を前記デバイス内に搬送するための光学経路と、
前記反射光及び前記蛍光発光の光学的光信号を電気信号に変換するための手段と、
補償プラーク値を決定するために前記反射光及び前記蛍光発光の前記電気信号を数学的に操作するための手段と、
前記口腔の前記表面を洗浄するための手段と、
を備える、デバイス。
【請求項２】
前記集光器が光ファイバーを含む、請求項１に記載のデバイス。
【請求項３】
前記光学経路が光ファイバーを含む、請求項１に記載のデバイス。
【請求項４】
前記光学経路が前記光ファイバーを含む、請求項３に記載のデバイス。
【請求項５】
前記反射光及び蛍光発光の前記光学的光信号を前記電気信号に変換する前記手段が、光変換器を含む、請求項１に記載のデバイス。
【請求項６】
前記反射光及び前記蛍光発光の前記電気信号を増幅又は調整する手段を更に備える、請求項１に記載のデバイス。
【請求項７】
前記表面との接触前に、前記入射放射線が通過する第１の光学フィルターを更に備える、請求項２に記載のデバイス。
【請求項８】
前記光学的光信号を前記電気信号に変換する前に、前記反射光の第２の部分と前記蛍光発光の第１の部分とが通って搬送される、第２の光学フィルターを更に備える、請求項１に記載のデバイス。
【請求項９】
前記光学的光信号を前記電気信号に変換する前に、前記反射光の第１の部分と前記蛍光発光の第２の部分とが通って搬送される、第３の光学フィルターを更に備える、請求項１に記載のデバイス。
【請求項１０】
前記反射光及び前記蛍光発光の前記電気信号を数学的に操作する前記手段が、データ処理装置を備え、前記データ処理装置が、前記電気信号の操作前に、前記反射光及び前記蛍光発光の前記電気信号をアナログフォーマットからデジタルフォーマットに変換するアナログ−デジタル変換器を更に備える、請求項１に記載のデバイス。
【請求項１１】
前記洗浄手段が、歯ブラシを含み、前記歯ブラシが、ヘッドを備え、前記ヘッドが、剛毛を取り付けた面を備える、請求項１に記載のデバイス。
【請求項１２】
前記歯ブラシが、手動歯ブラシ又は電動歯ブラシである、請求項１１に記載のデバイス。
【請求項１３】
前記洗浄手段が、音波処理、加圧水、ブラッシング、又はそれらの組み合わせによって歯を洗浄するのに有効である、請求項１に記載のデバイス。
【発明の詳細な説明】
【技術分野】
【０００１】
本発明は、歯及び歯ぐきなどの口腔の表面を洗浄するためのデバイス及び方法に関する。
【背景技術】
【０００２】
生物学的沈着物は、一般に、例えば一般に歯科衛生において望ましくないと考えられている、プラーク、細菌、歯石、及び結石等の生物起源の物質の沈着物を指す。歯科プラークは、一部は細菌の活性により生成され、又は歯、歯ぐき、舌若しくは頬上の食物沈着物からの汚染により生成された、例えば歯等の口腔の表面上の複雑な有機沈着物である。プラークは、虫歯及びう蝕進行に対する望ましくない前駆体である。
【０００３】
腔内のプラーク沈着物を検出して、例えば歯ブラシ（手動又は電動）、糸ようじ、つまようじ又は口腔洗浄機を使用して除去するために、直接的な行動をとることが望ましく、これは歯科洗浄努力が集中されるべき領域が検出により示されるためである。このような沈着物は、その位置で／インビボで、歯、歯ぐき、舌又は頬上で検出することが困難な場合がある。歯科プラークを検出することは、特に重要である。プラークを検出するために蛍光測定を用いることが公知であり、この蛍光測定では、入射放射線を口腔の表面に指向させ、生物学的沈着物の存在に関連した特徴を有する蛍光発光が前記表面から放射され、蛍光発光を検出する。
【０００４】
現況技術において、歯科プラークを検出する２つの一般的な方法がある。１つの方法は、一次蛍光を使用して、歯科プラークの蛍光、又は他の歯科物質自体が観察されることである。他の方法は、二次蛍光を使用して、プラークを有すると疑われる口腔内の表面が歯科プラークと優先的に結合する蛍光標識物質で処理され、歯科プラークが結合した口腔の表面に標識物質の蛍光発光が歯科プラークの存在を示すと検出されることである。また、光ファイバーの束を有する歯ブラシヘッドも公知であり、光ファイバーは歯ブラシヘッドを通して延びて、入射放射線を試験歯表面で指向させ、また試験歯表面から放射された放射線を収集する。
【０００５】
そのような方法の必要条件は、入射放射線を検査下の口腔表面に指向させることと、結果として生じる口腔表面からの蛍光発光放射線を収集することである。放射線の振幅は、表面上に位置する生物学的沈着物の量の関数であり、また光源及び検出器の表面からの距離である。その結果、検出される実際のプラーク値は、そのような因子に応じて変動するため、口腔表面上のプラークの状態を正確に表さない可能性があるプラーク値を生じる。口腔表面上の生物学的沈着物の量を測定する際の、放射線源及び／又はセンサーと口腔表面との間の距離を補償する公知のデバイスは知られていない。
【発明の概要】
【発明が解決しようとする課題】
【０００６】
本明細書に記載され、主張された発明によれば、口腔内のプラークを検出及び除去するためのデバイス及び方法は、特にプラークが検出され、除去される、歯を洗浄する改良された方法を提供する。
【課題を解決するための手段】
【０００７】
本発明は、口腔の表面を洗浄するためのデバイス及び方法を含む。方法は、ａ）口腔の少なくとも１つの歯の表面からプラークを検出し、除去するために適したデバイスを、口腔内に位置決めする工程と、ｂ）口腔内の少なくとも１つの歯であって、少なくとも１つの歯の表面のプラークに結合可能な蛍光剤を歯に適用した、少なくとも１つの歯の表面を、少なくとも１つの歯の表面上の蛍光剤と接触させられたときに蛍光発光を提供するのに有効な波長の入射放射線で、実質的に同時に洗浄及び照射する工程と、ｃ）第１の期間にわたって蛍光発光の少なくとも一部分を収集する工程と、ｄ）第１の期間にわたって収集された蛍光発光に基づき、第１の平均蛍光発光値（ＡＰＶ１）を決定する工程と、ｅ）ＡＰＶ１を所定のプラーク閾値（ＰＰＴＶ）と比較する工程と、ＡＰＶ１がＰＰＴＶ以上である場合、ｆ）第２の期間にわたって蛍光発光の少なくとも一部分を収集する工程と、ｇ）第２の期間にわたって収集された蛍光発光に基づき、第２の平均プラーク値（ＡＰＶ２）を決定する工程と、ｈ）ＡＰＶ１から前記ＡＰＶ２までの縮小割合を決定する工程と、ｉ）ＡＰＶ１からの縮小割合を所定の縮小割合の閾値（ＰＰＲＴ）と比較する工程と、ｊ）ＡＰＶ１からの縮小割合がＰＰＲＴ以下になるまで、又は所定の最大期間（ＰＭＴＰ）の間に、セクション内の少なくとも１つの歯を実質的に同時に洗浄及び照射し続ける工程とを、含む。
【図面の簡単な説明】
【０００８】
【図１】本発明のデバイス及び方法の作動原理の概略図。
【図２】本発明の実施形態の歯ブラシヘッドの剛毛面の実施形態の平面図。
【図３】本発明の方法の第１の実施形態の図示。
【図４】本発明のプラーク検出デバイスを含む、経口洗浄デバイスを使用する方法の第２の実施形態の図示。
【図５】本発明の経口洗浄デバイスから生成されるインビボデータの標準地。
【図６】本発明による口腔の表面を洗浄することに使用するためのデバイスの実施形態の断面図。
【発明を実施するための形態】
【０００９】
下記の用語は、本明細書及び請求項の両方で互換的に使用される。ＡＰＶは、平均プラーク値を意味するものである。ＡＣＰＶは、平均補償プラーク値を意味するものである。ＰＰＲＴは、所定の縮小割合閾値を意味するものである。ＰＭＴＰは、所定の最大期間を意味するものである。ＰＰＴＶは、所定のプラーク閾値を意味するものである。
【００１０】
口腔の表面を洗浄するためのデバイス及び方法が、提供され、歯及び歯ぐきなどの口腔の表面のプラークを検出及び除去することを含む。デバイスは、蛍光剤が結合される口腔内の表面に入射放射線を指向させるための放射線源を含む。デバイスは、口腔の表面を洗浄する手段を更に含む。本開示の利益を得ると、当業者は、歯などの口腔の表面を洗浄することに適した複数の実施形態があることを認識するであろう。例えば、歯ブラシは、電動駆動又は手動に関わらず、本発明に有用である。更に、歯及び歯間の表面を洗浄する加圧水を提供する有効なデバイスが本発明に使用されてもよい。また、口腔の表面に適用される水流の音波処理を提供する手段も本発明に使用されてもよい。加えて、表面を洗浄する任意の機構の組み合わせを使用されてもよい。
【００１１】
本明細書で使用される「蛍光剤」は、歯又は歯ぐきなど口腔の表面に適用される組成物又は化合物を意味し、口腔内の表面に存在するプラークへの結合を可能にし、特定の波長の入射放射線で照射されると、蛍光発光の提供を可能にする。プラークへの「結合」又は「結束」によって、蛍光剤は、本明細書に記載されるように、洗浄条件下でプラーク沈着物から分離されないように、口腔の表面のプラーク沈着物に付着されることを意味する。例えば、手動又は電動いずれかの歯ブラシで、処理された表面をブラッシングすることは、蛍光剤が付着されたプラークが表面から除去されない場合、蛍光剤が結果的に表面から除去されることにはならない。
【００１２】
放射線源は、洗浄される口腔の表面に適用される特定の蛍光剤によって幅は変わるが、一般的に約４５０〜約５００ナノメートルまでのピーク波長を有する光を提供してもよい。デバイスは、場合により、検査される口腔の表面に接触させる前に、入射放射線を濾過するフィルターを備えてもよい。デバイスは、処理された表面に入射放射線との接触から生じる蛍光発光及び任意に反射光を収集する集光器も含む。所定の実施形態において、集光器は、光ファイバー又は繊維を含み得る。デバイスは、収集された蛍光発光及び反射光をデバイス内に搬送する光学経路も備える。所定の実施形態において、光学経路は光ファイバーを含み得る。そのようなものとして、光ファイバーは反射光及び蛍光発光の収集及び搬送の両方の役割を果たし得る。
【００１３】
デバイスは、平均プラーク値を決定するために、感知又は検出するための電気構成要素、蛍光発光の工学的光、電気信号への光学的光信号を搬送する手段、反復間隔にわたって取られる収集された蛍光発光に対応する電気信号を操作するデータ処理装置を更に含む。そのようなものとして、本明細書で記載され、決定されたプラーク値は、蛍光発光と入射放射線との接触によって生成され、デバイスによって収集される、蛍光発光に基づき、かつ相関する。
【００１４】
反射光及び蛍光発光の両方が収集される実施形態において、デバイスは、反射光及び蛍光発光の工学的光信号を感知する電気構成要素を更に含む。一実施形態において、反射光及び蛍光発光の光学的光信号は、連続して、しかし本質的には同時に感知又は検出される。本質的に同時とは、測定値が正確に同時に取得されなくとも、反射光と蛍光光との検出の時間における差異が非常に小さく、それぞれの検出が同時の読み取りを近似することを意味する。デバイスは、光学的光信号を電気信号に変換する手段、例えば変換器を更に備える。デバイスは、電気信号を増幅し又は調整することにより、より滑らかな若しくは平均化された信号を提供し、又はノイズが低減された信号を提供する手段を更に備える。デバイスはデータ処理装置も備え、そのデータ処理装置は、電気信号をアナログフォーマットからデジタルフォーマットに変換するアナログデジタル変換器を含んでもよい。次に、処理装置は、特定の期間にわたる平均補償プラーク値（ＡＣＰＶ）を決定するために、反復間隔にわたって取られる収集された反射光及び蛍光発光の電気信号を数学的に操作する。「補償プラーク値」とは、プラーク値が、集光器と調査される口腔の表面との間の距離を考慮に入れて決定されることを意味する。そのようなものとして、補償プラーク値は、任意の所定の瞬間／読み取り値における集光器と口腔表面との間の距離の関数として決定される。距離の関数としてプラーク値を決定する結果として、そのように決定された補償プラーク値は、放射線源と洗浄される口腔表面との間の実際の距離にかかわらず、任意の所定の週間／読み取り値における特定の表面と実質的に同一になる。実質的に同一であるとは、任意の所定の距離において決定された補償プラーク値が、統計的に同一になることを意味する。デバイスは、歯ブラシ（手動又は電動）などの口腔洗浄デバイスの構成要素として、又はその口腔洗浄デバイスと組み合わせて使用することができる。
【００１５】
歯及び歯ぐきなどの口腔内の表面を洗浄する本発明の方法及びデバイスは、洗浄前に口腔内の表面に適用される蛍光剤の使用を含む。例えば、フルオレセイン又はその塩、例えばフルオレセインナトリウムは公知の蛍光剤であり、練り歯磨き、歯磨きジェル、又は蛍光剤を含有する洗口剤等の好適な媒質中に分散されてもよい。蛍光剤は、最初に口腔を蛍光剤で濯ぎ、又は蛍光剤を含有する練り歯磨き若しくは歯磨きジェルを適用することにより、適用することができる。口腔表面上のプラークは、その表面上のプラークの量に比例する蛍光剤の量を保持する。フルオレセインは蛍光剤の１つの例であるが、フルオレセインと類似した、プラークに結合する他の薬剤が公知である。本発明の方法及びデバイスに使用される入射放射線の特定の波長は、選択される特定の蛍光剤に応じて変動するであろう。
【００１６】
洗浄される口腔内の表面に蛍光剤を適用した後に、使用者は、口腔内の口腔表面からプラークを検出及び除去するのに好適であるデバイスを位置決めし、次に表面を洗浄する。口腔は、歯及び／又は歯ぐきなどの口腔内の全表面が洗浄されるまで、１つのセクションから別のセクションに進み、口腔の洗浄が段階的に生じるように、例えば４〜１２のセクションまでの複数のセクションに分割されてもよい。口腔が分割されるセクションの数は、本明細書に後述されるように、事前に選択され、デバイスに組み込まれてもよい。また、セクションの数は、洗浄処理を通して継続的に取られる平均蛍光発光の読み取り値に基づき、洗浄中に継続的に決定されてもよい。どちらの場合でも、デバイス自体は、使用者が口腔内の複数のセクションのうちの別のセクションにデバイスを動かす必要があることを示す、例えば制約、聴覚、視覚、又は振動がない促すものを使用者に提供する。
【００１７】
実際に、デバイスは、洗浄される口腔の複数のセクションのうちの１つのセクション内に位置決めされる。デバイスは、剛毛を有する歯ブラシの場合、実質的に同時に洗浄又は磨き、入射放射線で洗浄される口腔のセクションの少なくとも１つの歯の表面を照射する。磨かれ、照射されるセクションの歯の表面は、少なくとも１つの歯の表面のプラークへ結合可能な蛍光剤を適用する。表面は、少なくとも１つの歯の表面のプラークへ結合される蛍光発光と接触される際に、蛍光発光を提供する有効な波長の入射放射線で照射される。
【００１８】
本発明の方法は、第１の期間にわたって洗浄される表面から蛍光発光の少なくとも１つの部分を収集し、次に第１の平均プラーク値（ＡＰＶ１）を決定することを含む。ＡＰＶ１は、第１の期間にわたり収集された複数の蛍光発光読み取り値に基づく平均プラーク値である。次に、ＡＰＶ１は、所定のプラーク閾値（ＰＰＴＶ）と比較される。ＡＰＶ１がＰＰＴＶ未満の場合、デバイスは、複数のセクションのうちの別のセクション内に移動され、位置決めされ、ブラッシング、照射、蛍光発光の収集、ＡＰＶ１の決定、及びＰＰＴＶとＡＰＶ１を比較する工程は次のセクションで繰り返される。
【００１９】
ＡＰＶ１がＰＰＴＶ以上の場合、蛍光発光は、第２の期間にわたって収集され、第２平均プラーク値（ＡＰＶ２）が決定され、これは、第２の期間にわたって収集された複数の蛍光発光読み取り値の平均である。ＡＰＶ１からＡＰＶ２までの縮小割合が決定され、所定の縮小割合閾値（ＰＰＲＴ）と比較される。次に、使用者は、前記ＡＰＶ１からの縮小割合がＰＰＲＴ以上になるまで、又は所定の最大期間（ＰＭＴＰ）の間のいずれか早いときにセクション内の少なくとも１つの歯を実質的に同時に磨き、照射し続ける。ＡＰＶ１からの縮小割合がＰＰＲＴ以上のようなとき、又はＰＭＴＰの時間切れのいずれか早いときに、デバイスは、口腔の複数のセクションのうちの別のセクション内で移動され、位置決めされ、口腔の複数のセクションの全てが洗浄されるまで、処理が口腔のそれぞれのセクション内で繰り返される。
【００２０】
ＡＰＶ１がＰＰＴＶ以上、かつＡＰＶ１からＡＰＶ２までの縮小割合がＰＰＲＴ未満である一実施形態において、使用者は、ＰＭＴＰが時間切れになるまで、表面を磨き及び照射し続ける。ＰＭＴＰが時間切れになると、デバイスは複数のセクションのうちの別のセクション内に移動され、位置決めされ、複数のセクションの全てが洗浄されるまで、処理が繰り返される。
【００２１】
ＡＰＶ１がＰＰＴＶ以上、かつＡＰＶ１からＡＰＶ２までの縮小割合がＰＰＲＴ未満である別の実施形態において、追加の反復ＡＰＶが追加の期間にわたって継続的に決定される。次に、ＡＰＶ１からそれぞれの反復ＡＰＶまでの縮小割合がＰＰＲＴと比較される。ＰＭＴＰの時間切れ前の任意の時間に、ＡＰＶ１からそれぞれの反復ＡＰＶまでの縮小割合がＰＰＲＴ以上の場合、デバイスが複数のセクションのうちの別のセクション内に移動され、位置決めされる。次に、複数のセクションの全てが洗浄されるまで、処理が繰り返される。この実施形態において、記載された第１の実施形態と比較されるように、ＡＰＶ１からＡＰＶ２までの縮小割合がＰＰＲＴ未満であるとしても、ＡＰＶ１からの望ましい縮小割合に達する間に、特定のセクションを洗浄するのに費やされた時間がＰＭＴＰ未満になり得る。
【００２２】
所定の実施形態において、入射放射線と処理された表面との接触から生じる反射光が、蛍光発光と本質的に同時に収集される。これらの実施形態において、蛍光発光値は、本明細書の上記に定義されるように、補償蛍光発光値である。
【００２３】
図１は、本発明による口腔の表面を洗浄するための方法及びデバイスの作動原理の概略図である。図示される特定の実施形態は歯ブラシであるが、本発明により、口腔内で使用される他のデバイスも想定される。図２は、ブラシヘッドの剛毛側から見た、本発明による歯ブラシヘッドの平面図である。図示する実施形態において、図１で第１の破線矩形として示される歯ブラシヘッド部分１４は、歯の洗浄のための従来の剛毛房２６に加えて、放射線源２２と、口腔表面と入射放射線との接触により生じる反射光３３及び蛍光発光３４を搬送する光ファイバー２４ａ及び２４ｂとを含む。ヘッド１４は、放射線源に応じて第１の光学フィルター４２も含み得る。
【００２４】
図１で第２の破線矩形として示される電気ハウジング１８は、本明細書で上述したような、そのハウジング内に配置されるプラーク検出デバイスの他の電気的構成要素を収容するであろう。いくつかの実施形態において、電気ハウジング１８は、洗浄デバイスの取っ手部分、例えば歯ブラシ取っ手内に存在してもよい。図示した実施形態では、光ファイバー２４ａ及び２４ｂは、ヘッド１４から電気ハウジング１８内に延びる。ハウジング１８は、そのハウジング内に収容された第２の光学フィルター４４、第１の光変換器４６、第２の光変換器４８、第１の増幅器５２、第２の増幅器５４、データ処理装置５６、及び電気構成要素を作動させる電源５０も含む。
【００２５】
図１は、口腔の代表的な表面、例えば上面６２及び側面６４を有する歯６０も示す。図１は、歯６０の上面６２に指向されたデバイス１０を示しているが、歯６０の上面６２及び側面６４の両方が入射放射線と接触され得ることを理解するべきである。加えて、そのような接触は、使用者の歯磨き技術に応じて、複数の歯６０の上面６２及び側面６４において同時であり得る。洗浄デバイスは、口腔内の他の表面、例えば歯ぐき、舌又は頬等に指向されることもできる。
【００２６】
作動時、洗浄デバイスを使用する前に、口腔は、蛍光標識物質、即ち蛍光剤で処理され、その蛍光剤は歯科プラークに優先的に結合し、入射放射線に暴露された際に蛍光発光を生成する。入射放射線のピーク波長は、選択される特定の蛍光剤に応じて変動する。フルオレセイン又はその塩、例えばフルオレセインナトリウムを使用する実施形態では、入射放射線は約４５０〜約５００ナノメートルの範囲のピーク波長を有し得る。口腔内に位置決めされた後、放射線源２２は約４５０〜約５００ナノメートル（ｎｍ）、又は約４７０ナノメートルのピーク波長の光を放射する。光は第１の光学フィルター４２を通過してもよく、そのフィルターは、約５１０ｎｍを超える波長を有する光を実質的に全て除去する。図示するように、放射線源２２からの入射放射線３２は歯６０の上面６２に指向されるが、上述したように、入射放射線は口腔の複数の表面、例えば歯と接触することができる。表面と接触すると、入射放射線は歯６０の表面に位置するプラークに結合した蛍光剤と相互作用する。次に、蛍光剤は約５２０〜約５３０ナノメートルのピーク波長を有する蛍光発光３４を生成する。蛍光剤により提供される蛍光発光３４の第１の部分は光ファイバー２４ａにより収集され、光ファイバー２４ａによりデバイス内へ搬送されて、更に数学的に処理される。これに付随して反射光３３の第２の部分が本質的に同時に収集され、蛍光発光３４の第１の部分と共に搬送される。蛍光発光３４は第２の光学フィルター４４を通過し、そのフィルターは約５１５ｎｍ未満の波長の光を実質的に全部除去して、反射光が本質的にデータ処理装置５６へ全く通過されないことを確実にする。今濾過された蛍光発光３４は、光学的光信号を電気信号に変換するフォトダイオードの形態の第１の光変換器４６を通過する。電気信号は第１の増幅器５２を通過して、データ処理装置５６へ通過されている電気信号が増大される。
【００２７】
反射光の第１の部分は光ファイバー２４ｂにより収集され、光ファイバー２４ｂによりデバイス内に搬送されて、更に数学的に処理される。これに付随して蛍光発光３４の第２の部分が収集され、反射光の第１の部分と共に搬送される。蛍光発光３４の第２の部分と反射光の第１の部分とは、光学的光信号を電気信号に変換するフォトダイオードの形態の第２の光変換器４８を通して搬送される。第２の光変換器４８に通過させる前に、蛍光発光を実質的に全部除去する光学フィルターを提供することは任意であるが、図示した実施形態では、蛍光発光の第２の部分と反射光の第１の部分とはいずれも、それらが第２の光変換器４８を通過する前に濾過されず、これはこれらの信号が放射線源２２から歯６０の表面までの距離を測定するのに使用されるためである。未濾過の電気信号は第２の増幅器５４を通過して、データ処理装置５６に通過されている電気信号が増大される。
【００２８】
プラーク検出デバイス１０内で使用され得る電子部品としては、Ｔａｏｓ  ＴＳＬ１２Ｓ−ＬＦフォトダイオード、Ｏｐａｍｐ  Ａｎａｌｏｇ  ＡＤ８５４４ＡＲＺ増幅器、Ｓｅｍｒｏｃｋ蛍光フィルター（ＦＦ０１−５００−ＬＰ、ＦＦ０１−４７５／６４）、及びＡｔｍｅｌ  ＡＴＭＥＧＡ８Ｌ−８ＡＵマイクロプロセッサが挙げられる。
【００２９】
データ処理装置５６は、第１の光変換器４６及び第２の光変換器４８からの入力の数学的操作を実行する。数学的操作において、濾過された蛍光発光３４から得られた電気信号は、光ファイバー２４ｂ、即ち集光器の先端から歯６０の表面に対する距離の決定に使用し得る未濾過電気信号から受信した電気信号を計上するよう変更される。２つの信号の間の関係は、蛍光剤で被覆された物体の表面からの既知の距離における各信号の強度を測定することにより実験的に決定される。数学的操作の結果は修正された電気信号であり、その信号は補償プラーク値をもたらし、補償プラーク値という用語は、本明細書の下記に記載及び定義される通りである。
【００３０】
図２は、本発明のデバイスの第１の実施形態の平面図である。図示するように、デバイス１０は、取っ手部分１２及びヘッド部分１４を有する歯ブラシの形態を有する。図２は、デバイス１０の剛毛面１６を示す。ヘッド部分１４の剛毛面１６は略楕円形として示されるが、剛毛面１６は三角形、四角形、矩形、台形及び他の多角形、又は円形、長円形、三日月形、デルタ字形（deltoid）、星形若しくは他の曲線形であってもよいことが重要である。
【００３１】
放射線源２２、集光器及び搬送器２４、並びに洗浄房２６は、剛毛面１６上に位置決めされている。発光ダイオード（ＬＥＤ）等の発光体の形態を有する放射線源２２は、入射励起放射線を、洗浄するべき歯の表面に指向させる。一般に光ファイバーの形態を有する集光器及び搬送器２４は、歯から放射される蛍光発光を収集する。光ファイバーは、シリカ等のガラスから形成されてもよいが、フルオロジルコネート、フルオロアルミネート、及びカルゴゲナイドガラス等の他の物質から形成されてもよく、またプラスチック光ファイバー（ＰＯＦ）の形態を有してもよい。
【００３２】
洗浄房２６は歯の表面の洗浄を最適にする様式で、剛毛面１６上に位置決めされたおよそ２０〜５０個の個々の剛毛から形成されている。図１は、剛毛面１６上の房２６の１つの配置を示す。剛毛面１６上の房２６のこの配置は、本発明の範囲を限定するものではないことを理解するべきである。典型的な房は、直径がおよそ１．６ｍｍ（０．０６３インチ）であり、およそ２ｍｍ２（０．０７９インチ２）の断面積を有する。一般的に使用される毛の直径は、柔らかめの毛で０．１５ｍｍ（０．００６インチ）、中程度の毛で０．２ｍｍ（０．００８インチ）、及び固めの毛で０．２５ｍｍ（０．０１０インチ）である。
【００３３】
上述した方法による歯上のう蝕、プラーク又は細菌感染の認識における一般的な問題は、検出した蛍光発光に日光又は人工的な室内照明が破壊的に重畳し得ることに見出される。この環境光は歯６０から反射される可能性があり、それにより光ファイバー２４ａ及び２４ｂにより収集される。本発明による検出領域内に存在する環境光のスペクトル領域は、背景信号、即ちノイズを生じ、これはプラーク検出の感度を制限する。
【００３４】
この問題は、放射線源２２により生成される入射放射線３２が周期的に変調される本発明により効果的に解決される。このケースでは、蛍光発光３４は、短時間の励起状態により、励起放射線の強度に事実上同時に追従する。対照的に、環境光は周期的に変調されず、検出される発光３４に、一定の構成成分として単独で重畳する。発光３４の評価のために、対応する周波数で変調された放射線のみが検出信号として使用され、かつ評価される。この方法で、環境光の一定の構成成分が、ある程度濾去され、プラークは事実上、環境光とは独立に検出される。しかしながら、環境光は電源電圧（mains voltage）の周波数により僅かに変調されるため、電源電圧周波数とは際だって異なる周波数、好ましくは１００Ｈｚ〜２００ｋＨｚの範囲内に存在する周波数を、入射放射線３２のための変調周波数として選択する必要がある。
【００３５】
口腔内のプラーク検出及び除去のためのデバイス及び方法は、口腔の健康を追跡する口腔ケアシステムの一部として又はそのシステムと組み合わせて使用することもできる。そのようなシステムは、洗浄操作の前又は後に、歯、歯ぐき、舌又は頬の表面上のプラークレベルを記録することができ、またある時間に亘りプラークのレベルを追跡し、その結果を使用者又は歯の手入れの専門家に報告することができる。
【００３６】
口腔内のプラークを検出及び除去する本発明の経口洗浄デバイスを使用する多くの異なる方法又は様式がある。図３は、経口洗浄デバイス１０の使用の第１の実施形態方法を図示する。この実施形態において、歯を洗浄するのに使用され、使用者は、歯の洗浄操作を多くのセクションに分け、経口洗浄デバイス１０から出力信号（OUTPUT SIGNAL）を受けると、セクションからセクションへと移動するように指示される。例示を目的とし、範囲を限定しないものとするため、図１について記載し、図３に示す実施形態は、上部の歯の前側の３つ、上部の歯の裏側の３つ、下部の歯の前側の３つ、下部の歯の裏側の３つの洗浄の１２のセクションを使用する。洗浄されるセクションの順は、経口洗浄デバイス１０の性能に重要ではない。
【００３７】
第１の工程において、経口洗浄デバイス１０の電源が入れられ、洗浄されるセクションの数を追跡するように使用される内部カウンター（COUNTER）、グローバルタイマー（GLOBAL TIMER）及びローカルタイマー（LOCAL TIMER）がゼロに設定される。次の工程に進み、放射線源２２からの入射放射線が、洗浄されるセクション内の歯６０の上面６２又は側面６４に指向される。処理装置５６は、放射線源２２から歯６０の表面までの距離を決定するために使用された未濾過電気信号からの強度がプリセットの距離閾値信号（DISTANCE THRESHOLD SIGNAL）を超えるまで待つ。これは、放射線源２２が歯６０の上面６２又は側面６４に極めて接近して位置決めされることを確実にするためである。未濾過電気信号からの強度がプリセットの距離閾値信号（DISTANCE THRESHOLD SIGNAL）を超えると、プログラムが次の工程に進み、グローバルタイマー（GLOBAL TIMER）及びローカルタイマー（LOCAL TIMER）の両方が開始される。グローバルタイマー（GLOBAL TIMER）が予定されて、口腔が洗浄される最大洗浄期間（ＭＣＴＰ）に設定される。
【００３８】
次の工程に進み、処理装置５６は、修正された電気信号を生じる第１の光変換器４６及び第２の光変換器４８からの入力のアルゴリズムを開始する。ＡＰＶが、ローカルタイマー（LOCAL TIMER）の０時間から所定の第１の期間に計算され、ＡＰＶ１として記録される。所定の第１の期間は、５秒（図３参照）になり得、又は限定されないが、１０、５、４、２、１、０．５、又は０．２５秒等の他の値になり得る。いくつかの実施形態において、ＡＰＶは、０時間から所定の第１の期間までの１、０．５、０．２５、０．１２５、０．１、０．０５、０．０２５、０．０１２５、０．０１、又は０．００５秒等の間隔でデータを取って計算されてもよく、修正された電気信号値を測定されたデータポイントの数で平均する。データの記録のための時間間隔は、規則的でもよく、又は所定の第１の期間にわたって不規則に選択されることもできる。
【００３９】
プログラムの次の工程において、カウンター（COUNTER）値が１増加され、処理装置５６の作動プログラムが第１の決定ブロックに達する。このブロックにおいて、ＡＰＶ１の値が所定のプラーク閾値（ＰＰＴＶ）と比較される。ＰＰＴＶは、経口洗浄デバイス１０の使用者の選択された人口の平均値として実験的に決定されてもよく、デバイス１０の特定の使用者に対して決定されてもよい。ＡＰＶ１がＰＰＴＶ以下の場合、処理装置５６の作動プログラムは、第２の決定ブロックに進む。
【００４０】
ＡＰＶ１の値がＰＰＴＶを超える場合、第２の平均プラーク値が、第１の所定の期間の終了からローカルタイマー（LOCAL TIMER）の所定の第２の期間に計算され、ＡＰＶ２として記録される。所定の第２の期間は、１０秒（図３参照）になり得、又は限定されないが、１５、１２、１０、９、８、７、６、５．５、又は５．００秒等の他の値になり得る。ＡＰＶ２は、いくつかの実施形態において、所定の第１の時間の終了から所定の第２の期間までの１、０．５、０．２５、０．１２５、０．１、０．０５、０．０２５、０．０１２５、０．０１、又は０．００５秒等の間隔でデータを取って計算されてもよく、修正された電気信号値を測定されたデータポイントの数で平均する。データの記録のための時間間隔は、規則的でもよく、又は所定の第２の期間にわたって不規則に選択されることもできる。
【００４１】
ＡＰＶ２は、ＡＰＶ１と比較される。所定の縮小割合閾値（ＰＰＲＴ）によって、ＡＰＶ２がＡＰＶ１未満の場合、処理装置５６の作動プログラムが第２の決定ブロックに進む。ＡＰＶ１からＡＰＶ２までの縮小割合がＰＰＲＴ以上の場合、プログラムがローカルタイマー（LOCAL TIMER）の所定の第３の時間を待つ。所定の第３の時間の間に、使用者は、洗浄されるセクションの適切なブラッシング時間及びプラーク除去を確実にするために、洗浄されるセクションの歯を磨き続ける。所定の第３の時間は、１０、７．５、５（図３参照）４、３、２、１、又は０．５秒になり得、経口洗浄デバイス１０で決まった実験によって決定されてもよい。図３に示される実施形態において、それぞれのセクションの確実にされた適切なブラッシング時間が１０秒で、それぞれのセクションの最大ブラッシング時間が１５秒である。所定の第３の時間が時間切れになると、処理装置５６の作動プログラムが第２の決定ブロックに進む。ＡＰＶ１値とＡＰＶ２値との間の所定の縮小割合は、５、１０、２０、３０、４０、５０、６０、７０（図３）８０、９０、９５になり得、経口洗浄デバイス１０で決まった実験によって決定される。
【００４２】
ＡＰＶ１がＰＰＴＶ以下のとき、ＡＰＶ１からＡＰＶ２までの縮小がＰＰＲＴ以下のとき、又は所定の第３の時間が時間切れになるときのいずれか早いときに、グローバルタイマー（GLOBAL TIMER）の実行時間の値が第４の所定時間と比較される。グローバルタイマー（GLOBAL TIMER）の実行時間の値が第４の所定時間を超える場合、処理装置５６の作動プログラムが、使用者に送信される終了（END）信号を有し、洗浄処理が終了したことを使用者に通知する。第４の所定時間は、プリセットされたセクションの数の生成物及びそれぞれのセクションの最大時間を超えなければならないことに注意することが重要である。図３に示される実施形態の場合、プリセットされたセクションの数が１２で、それぞれのセクションの最大時間が１５秒である。したがって、図３に示された実施形態の第４の所定時間が１８０秒（３分）である。
【００４３】
グローバルタイマー（GLOBAL TIMER）の実行時間の値が第４の所定時間未満の場合、作動プログラミング処理装置５６が第４の決定ブロックに進む。この決定ブロックにおいて、カウンター（COUNTER）の値が、洗浄されるセクションのプリセット数と比較される。カウンター（COUNTER）がセクションのプリセット数と等しい場合、処理装置５６の作動プログラムが使用者に送信される終了（END）信号を有し、洗浄処理が終了したことを使用者に通知する。前述の通り、図３に示される実施形態は、洗浄する１２のセクションを使用する。
【００４４】
カウンター（COUNTER）がセクションのプリセット数未満の場合、処理装置５６の作動プログラムが次の工程に進む。ここで、ローカルタイマー（LOCAL TIMER）がゼロにリセットされ、処理装置５６の作動プログラムが使用者に送信される出力信号（OUTPUT SIGNAL）を有し、経口洗浄デバイス１０を洗浄するために次のセクションに移動させることを使用者に通知する。図３に示されるように、処理装置５６の作動プログラムが次の工程に進み、ローカルタイマー（LOCAL TIMER）が開始され、プログラムが第２のループを開始する。
【００４５】
洗浄操作が全てのセクションで終了するまで、処理が続く。洗浄処理が終了したことを使用者に通知するために使用者に送信される終了（END）信号、並びに洗浄する次のセクションに経口洗浄デバイス１０を移動させることを使用者に通知するために使用者に送信される出力信号（OUTPUT SIGNAL）は、いくつかの形態であってもよい。これらの信号は、視覚、聴覚、触覚、嗅覚、又は味覚の５つの感覚のいずれかの形態であってよい。例えば、経口洗浄デバイス１０の取っ手部分１２は、表面上又は表面に組み込まれる、光又は一連の光を有してもよい。使用者がデバイス１０でそれぞれのセクションを洗浄する間に、光がオフにされていてもよい。出力信号（OUTPUT SIGNAL）は、光を照らして使用されてもよく、次のセクションに移動させる時間であることを使用者に通知する。洗浄処理が終了したことを使用者に通知するために使用者に送信される終了（END）信号が、光の閃光を有して使用されてもよい。
【００４６】
別の実施形態では、２色の光が使用されることができる。ここで、第１の色の照らされた光が、使用者に、使用者が現在洗浄しているセクションにとどまることを通知する。新しいセクションに移動する時間になると、出力信号（OUTPUT SIGNAL）が使用されて、第１の色の光を薄暗くし、第２の色の光を照らし得る。終了（END）信号は、光の全てを照らし、光の閃光の全てを有して使用されてもよい。
【００４７】
経口洗浄デバイス１０は、同じような方法で、音、又は一連の音を使用してもよい。音量、音程、音調、又は周波数を変更することは、出力信号（OUTPUT SIGNAL）及び終了（END）信号から全て可能な結果となる。他の実施形態おいて、振動運動は、セクションからセクションに移動することを使用者に通知し、又は洗浄が終了したことを使用者に通知して使用され得る。
【００４８】
図４は、本発明の経口洗浄デバイス１０の使用における第２の実施形態方法を図示する。この実施形態において、使用者は、歯の洗浄操作中に口腔の周囲にデバイス１０を移動させることを指示され、経口洗浄デバイス１０からのユーザー出力（USER OUTPUT）信号を受けると、１つの領域にとどまり、高いプラーク体積の領域に当たっていることを使用者に通知する。
【００４９】
第１の工程において、経口洗浄デバイス１０に電源が入れられ、内部グローバルタイマー（GLOBAL TIMER）及びローカルタイマー（LOCAL TIMER）がゼロに設定される。次の工程に進み、放射線源２２からの入射放射線が、洗浄される領域の歯６０（又は複数の歯）の上面６２又は側面６４に指向される。処理装置５６は、放射線源２２から歯６０の表面までの距離を決定するために使用された未濾過電気信号からの強度がプリセットの距離閾値信号（DISTANCE THRESHOLD SIGNAL）を超えるまで待つ。これは、放射線源２２が歯６０の上面６２又は側面６４に極めて接近して位置決めされることを確実にするためである。未濾過電気信号からの強度がプリセットの距離閾値信号（DISTANCE THRESHOLD SIGNAL）を超えると、プログラムが次の工程に進み、グローバルタイマー（GLOBAL TIMER）が開始される。
【００５０】
次の工程に進み、処理装置５６は、修正された電気信号を生じる第１の光変換器４６及び第２の光変換器４８からの入力のアルゴリズムを開始する。平均プラーク値が、ローカルタイマー（LOCAL TIMER）の０時間から所定の第１の期間まで計算され、ローリング平均値１（ROLLING AVERAGE1）として記録される。所定の第１の期間は、２秒（図４参照）になり得、又は限定されないが、１０、５、４、２、１、０．５、又は０．２５秒等の他の値になり得る。平均は、いくつかの実施形態において、０時間から所定の第１の期間までの１、０．５、０．２５、０．１２５、０．１、０．０５、０．０２５、０．０１２５、０．０１、又は０．００５秒等の間隔でデータを取って計算されてもよく、修正された電気信号値を測定されたデータポイントの数で平均する。データの記録のための時間間隔は、規則的でもよく、又は所定の第１の期間にわたって不規則に選択されることもできる。
【００５１】
プログラムの次の工程において、処理装置５６の作動プログラムが第１の決定ブロックに達する。このブロックにおいて、ローリング平均値１（ROLLING AVERAGE1）が所定のプラーク閾値（ＰＰＴＶ）と比較されるＰＰＴＶは、経口洗浄デバイス１０の使用者の選択された人口の平均値として実験的に決定されてもよく、デバイス１０の特定の使用者に対して決定されてもよい。
【００５２】
ローリング平均値１（ROLLING AVERAGE1）がＰＰＴＶを超える場合、処理装置５６の作動プログラムが次の工程に進む。ここで、経口洗浄デバイス１０からのユーザー出力（USER OUTPUT）信号が使用者に送信され、それが高いプラーク体積の領域に当たっていることを使用者に通知する。同時に、ローカルタイマー（LOCAL TIMER）が開始され、処理装置５６の作動プログラムが次の工程に進む。
【００５３】
ローリング平均値１（ROLLING AVERAGE1）がＰＰＴＶの値以下の場合、処理装置５６の作動プログラムが、後述するように、図４に示される第４の決定ブロックに進む。
【００５４】
ローカルタイマー（LOCAL TIMER）が開始された後の工程において、処理装置５６は、修正された電気信号を生じる第１の光変換器４６及び第２の光変換器４８からの入力のアルゴリズムを開始する。平均プラーク値が所定の第２の期間に対して計算され、ローリング平均値２（ROLLING AVERAGE2）として記録される。所定の第２の期間は、０．５秒（図４参照）になり得、又は限定されないが、１、０．５、０．２５、０．１２５、０．１、０．０５、又は０．０１秒等の他の値になり得る。平均は、いくつかの実施形態において、所定の期間の間の１、０．５、０．２５、０．１２５、０．１、０．０５、０．０２５、０．０１２５、０．０１、又は０．００５秒等の間隔でデータを取ることによって計算されもよく、修正された電気信号値を測定されたデータポイントの数で平均してもよい。データの記録のための時間間隔は、規則的でもよく、又は所定の第２の期間にわたって不規則に選択されることもできる。
【００５５】
次に、処理装置５６の作動プログラムが第２の決定ブロックに進む。第２の決定ブロックにおいて、ローリング平均値２（ROLLING AVERAGE2）がローリング平均値１（ROLLING AVERAGE1）と比較される。所定の縮小割合閾値（ＰＰＲＴ）によって、ローリング平均値２（ROLLING AVERAGE2）がローリング平均値１（ROLLING AVERAGE1）未満の場合、プログラムは次の工程に進む。ここで、ユーザー出力（USER OUTPUT）信号のスイッチが切られ、高いプラーク体積の領域から経口洗浄デバイス１０を移動できることを使用者に通知する。ＰＰＲＴは、５、１０、２０（図４）３０、４０、５０、６０、７０、８０、９０、９５になり得、経口洗浄デバイス１０で決まった実験によって決定される。
【００５６】
ローリング平均値２（ROLLING AVERAGE2）からローリング平均値１（ROLLING AVERAGE1）までの縮小割合がＰＰＲＴ以上の場合、プログラムは第３の決定ブロックに進む。第３の決定ブロックにおいて、ローカルタイマー（LOCAL TIMER）の値が、所定の第２の時間、即ち特定のセクションの洗浄時間と比較され、使用者は洗浄される領域内の歯を磨き続ける。ローカルタイマー（LOCAL TIMER）の値が所定の第２の時間未満の場合、処理装置５６の作動プログラムがローリング平均値２（ROLLING AVERAGE2）を決定する工程に戻る。これが、領域の適切なブラッシング時間を確実にするのに役立つであろう。所定の第２の時間は、１５（図４参照）１０、７．５、５、４、３、２、１、又は０．５秒になり得、経口洗浄デバイス１０で決まった実験によって決定されてもよい。
【００５７】
ローリング平均値２（ROLLING AVERAGE2）と、第２の決定ブロックと、第３の決定ブロックを決定する工程間のループは、ローリング平均値１（ROLLING AVERAGE1）からローリング平均値２（ROLLING AVERAGE2）までの縮小割合がＰＰＲＴ未満、又はローカルタイマー（LOCAL TIMER）の値のいずれかが、所定の第２時間を超えるまで、続けられる。この時点で、プログラムは次の工程に進み、ユーザー出力（USER OUTPUT）信号のスイッチが切られ、使用者が今、高いプラーク体積の領域から経口洗浄デバイス１０を移動できることを使用者に通知する。
【００５８】
次に、処理装置５６の作動プログラムは、図４に示された次の工程に進む。ここで、ローカルタイマー（LOCAL TIMER）がゼロにリセットされ、プログラムが図４に示された第４の決定ブロックに進む。このブロックにおいて、グローバルタイマー（GLOBAL TIMER）の実行時間の値が第３の所定時間と比較される。グローバルタイマー（GLOBAL TIMER）の実行時間の値が第３の所定時間を超える場合、処理装置５６の作動プログラムが使用者に送信される終了（END）信号を有し、洗浄処理が終了したことを使用者に通知する。第３の所定時間は、経口洗浄デバイス１０が使用者によって口腔内に使用される最小時間である。図４に示される実施形態における第３の所定時間が１２０秒（２分）であるが、１８０、１５０、１２０、９０、６０、４５、又は３０秒になり得、経口洗浄デバイス１０で決まった実験により決定されてもよい。
【００５９】
第４の決定ブロック（図４参照）において、グローバルタイマー（GLOBAL TIMER）の実行時間の値が第３の所定時間未満の場合、処理装置５６の作動プログラムがローリング平均値１（ROLLING AVERAGE1）、ローカルタイマー（LOCAL TIMER）の０時間から所定の第１の期間までの平均プラーク値を計算する工程に戻る。
【００６０】
グローバルタイマー（GLOBAL TIMER）の実行時間の値が第３の所定時間を超えるまで、処理が続けられ、洗浄操作が終了する。前述の通り、洗浄処理が終了したことを使用者に通知するために使用者に送信される終了（END）信号、並びに洗浄するために口腔の別の部分に経口洗浄デバイス１０を移動させることを使用者に通知するために使用者に送信される出力信号（OUTPUT SIGNAL）は、いくつかの形態であってもよい。これらの信号は、視覚、聴覚、触覚、嗅覚、又は味覚の５つの感覚のいずれかの形態であってよい。
【００６１】
信号は、経口洗浄デバイスから放射されてもよく、又は洗浄処理が終了したことを使用者に通知する外部の表示デバイスに送信されてもよく、又は洗浄するために口腔の別のセクションに経口洗浄デバイス１０を移動させることを使用者に通知する。
【００６２】
図６は、本発明による口腔の表面を洗浄するのに用いるデバイス１００の実施形態の断面図である。図示される特定の実施形態は歯ブラシであるが、本発明により、口腔内で使用される他のデバイスも想定される。図６に示されるように、デバイス１００は、取っ手部分１０２、首部分１０４、及び歯ブラシヘッド部分１１４を有する。歯ブラシヘッド部分１１４は、歯を洗浄するための剛毛房１２６及び放射線源１２２を含む。取っ手部分１０２は、中空であり、光変換器１４６及び１４８、増幅器１５２及び１５４、データ処理装置１５６、及び電源１５０が、そこに収容される。
【００６３】
本発明は、以下の実施例を参照することによって、より良く理解され得る。
【実施例】
【００６４】
実施例１：補償プラーク値の決定
手動歯ブラシのヘッドを、ヘッドの外側に向いた青色発光ダイオード（ＬＥＤ）を挿入することにより、ＬＥＤからの光が歯表面に照射できるように改造して、プラーク検出歯ブラシが形成された。ＬＥＤを、同様に青色ＬＥＤにより照射される領域内に先端が向いた１２個の光ファイバー繊維のアレイで包囲した。光ファイバーは、歯ブラシのネックを通過し、歯ブラシの取っ手部分内に収容された一対の光センサー（Ｔａｏｓ  ＴＳＬ１２Ｓ−ＬＦ）通過した。ファイバーを２つのグループに分けた。１つのグループは５１５ｎｍを超える波長のみ通過できる光学フィルター（Ｓｅｍｒｏｃｋ  ＦＦ０１−５００／ＬＰ）を通したが、第２のグループは全部の波長を通過させ、即ち光学フィルターは全く使用されなかった。濾過された光はプラーク値を表した一方、未濾過の光は、集光器、即ち光ファイバーの先端と、歯の表面との間の距離の解釈に使用された。光センサーの出力は増幅器（アナログデバイスＡＤ８５４４ＡＲＺ）に接続され、その増幅器は８ビット・マイクロコントローラ（Ａｔｍｅｌ  ＡＴＭＥＧＡ８Ｌ−８ＡＵ）に接続されていた。マイクロコントローラは、２つの１０ビット・アナログ−デジタル変換器を含み、その変換器は、マイクロコントローラ内で情報をデジタルフォーマットで操作できるようにする。
【００６５】
この装置を用いて、蛍光材料を含有する模擬プラーク材料で被覆したＴｙｐｏｄｅｎｔ歯モデルを使用して、実験を行った。プラークがヒトの口腔内で成長する方法を近似して、歯表面上に人工プラークを塗布した。実験は、距離とプラーク値との間の関係を形成できるように、例えば光ファイバー繊維の先端を歯表面からの様々な距離に配置することから構成された。
【００６６】
原型デバイスを以下のパラメータの組で操作した。
・５００Ｈｚ（０．００２秒）でサンプリング、連続して４つの測定値を反復連続的に取得。
・出力データ値当たり２０個のデータポイント毎にを平均。
・７ＭＨｚのクロック速度で８ビット・マイクロコントローラで駆動されるデバイス。
・データのＲＳ２３２読取りを表計算ソフト（spreadsheet）へ、及び
・周辺光の補償。
【００６７】
デバイスを、歯表面モデルの表面から０〜１０ｍｍの距離に配置した。読み取りを距離ＬＥＤオン、距離ＬＥＤオフ、プラークＬＥＤオン、及びプラークＬＥＤオフにより取得した。各距離における総プラーク及び総距離に関する信号の値を、以下を使用して計算した。
総プラーク＝プラークＬＥＤオン−プラークＬＥＤオフ            （Ｉ）
総距離＝距離ＬＥＤオン−距離ＬＥＤオフ。                      （ＩＩ）
【００６８】
表Ｉは、ＬＥＤオン、プラークＬＥＤオフ、総プラーク、距離ＬＥＤオン、距離ＬＥＤオフ、総距離に関する測定値／計算値を示す。
【表１】
2013535235.tif 000003
【００６９】
縦列Ａ（総プラーク）の値を、縦列Ｂ（総距離）に対してプロットした。得られた線を、直線式に曲線適合した。
総プラーク＝１．３０４（総距離）−６６．６１      （ＩＩＩ）
【００７０】
歯表面モデルの表面から距離１ｍｍの総プラークの値が２２６であったため、補償プラーク値（ＣＰＶ）は、以下を使用して決定された。
ＣＰＶ＝２２６＋（１．３０４（総距離）−６６．６１）／総プラーク      （ＩＶ）
【表２】
2013535235.tif 000004
【００７１】
表は、ＣＰＶ平均計算値が、距離に関わらず２２７．０２であり、標準偏差は０．０１２（０．０５％）であることを示す。したがって、プラーク読み取り値は、集光器から歯モデルの表面迄の距離を考慮に入れて補償されている。
【００７２】
実施例２：経口洗浄デバイスの使用
実施例１に記載されたデバイスは、ヒトの歯を洗浄する研究で使用された。研究の参加者は、研究が実施される前の１８〜２４時間に任意の口腔衛生を行わなかった。研究は、米国歯科医師会承認のバスメソッドを使用する歯科衛生士による代理ブラッシングを使用して実施された。口腔は、それぞれのセクションが個別に分析され得るように１２の均等なセクションに分割された。それぞれのセクションのブラッシングの最大総期間は、２分の全口腔ブラッシング時間を促すために、１０秒に予定及び設定された。ブラッシングの間に、デバイスで生成されるデータは、シリアル通信を介して、データに記録されるＰＣに出力された。
【００７３】
図６は、口腔の特定のセクションの１０秒ブラッシングの間にデバイスから生成されたデータの標準地である。ブラシの検出部分がプラークの異なったレベルを含むセクション内の領域にわたって繰り返し動くため、データは上下に変動する。データを通して引かれた直線状の傾向線が、１０秒期間間のプラークの減少を示す。
【００７４】
前述の説明及び図面は、本発明の代表的な実施形態を表すが、本発明の趣旨及び範囲から逸脱することなく、それらに様々な追加、修正、及び置換を行い得ることが理解されよう。当業者は、本発明が、本発明の原理から逸脱することなく、特定の環境及び動作要件に特に適合される、本発明の実践において使用される、構造、配置、比率、材料、及び構成要素の多くの修正を伴って、並びに別の方法で、使用され得ることを認識するであろう。例えば、一体形成されたものとして示される要素は、一体形成され得る複数の部分として示される複数の部分又は要素で構築されてもよく、要素の動作は、反転される、ないしは別の方法で変化されてもよく、要素のサイズ又は寸法は、変化されてもよい。ここに開示した実施形態はしたがって、いかなる点においても例示的なものであり、限定的なものではないと解釈されるべきであり、本発明の範囲は、添付の特許請求の範囲によって示され、上記の説明に限定されるものではない。
【００７５】
〔実施の態様〕
（１）  口腔を洗浄するための方法であって、前記方法が、
ａ．前記口腔の少なくとも１つの歯の表面からプラークを検出し、除去するために適したデバイスを、前記口腔内に位置決めする工程と、
ｂ．前記口腔内の前記少なくとも１つの歯であって、少なくとも１つの歯の前記表面のプラークに結合可能な蛍光剤を前記歯に適用した、前記少なくとも１つの歯の前記表面を、少なくとも１つの歯の前記表面上の前記蛍光剤と接触させられたときに蛍光発光を提供するのに有効な波長の入射放射線で、実質的に同時に洗浄及び照射する工程と、
ｃ．第１の期間にわたって前記蛍光発光の少なくとも一部分を収集する工程と、
ｄ．前記第１の期間にわたって収集された前記蛍光発光に基づき、第１の平均プラーク値（ＡＰＶ１）を決定する工程と、
ｅ．前記ＡＰＶ１を所定のプラーク閾値（ＰＰＴＶ）と比較する工程と、前記ＡＰＶ１が前記ＰＰＴＶ以上である場合、
ｆ．第２の期間にわたって前記蛍光発光の少なくとも一部分を収集する工程と、
ｇ．前記第２の期間にわたって収集された前記蛍光発光に基づき、第２の平均プラーク値（ＡＰＶ２）を決定する工程と、
ｈ．前記ＡＰＶ１から前記ＡＰＶ２までの縮小割合を決定する工程と、
ｉ．前記ＡＰＶ１からの前記縮小割合を所定の縮小割合閾値（ＰＰＲＴ）と比較する工程と、
ｊ．前記ＡＰＶ１からの前記縮小割合が前記ＰＰＲＴ以上になるまで、又はＰＭＴＰの間のいずれか早いときに、前記少なくとも１つの歯を実質的に同時に洗浄及び照射し続ける工程と、
を含む、方法。
（２）  前記入射放射線と前記表面との接触から生じる反射光が、前記蛍光発光と本質的に同時に収集され、前記ＡＰＶ１及びＡＰＶ２は、補償ＡＰＶである、実施態様１に記載の方法。
（３）  前記ＡＰＶ１が前記ＰＰＴＶ以上であり、かつ前記ＡＰＶ１から前記ＡＰＶ２までの前記縮小割合が前記ＰＰＲＴを超える場合、前記表面が、前記ＰＭＴＰが時間切れになるまで継続的に実質的に同時に洗浄及び照射される、実施態様１に記載の方法。
（４）  前記ＡＰＶ１が前記ＰＰＴＶ以上であり、かつ前記ＡＰＶ１から前記ＡＰＶ２までの前記縮小割合が前記ＰＰＲＴを超える場合、追加の反復ＡＰＶが追加の期間にわたって決定され、前記ＡＰＶ１から前記それぞれの反復ＡＰＶまでの前記縮小割合が、前記ＰＰＲＴと比較され、前記表面が、前記ＡＰＶ１から前記それぞれの反復ＡＰＶまでの前記縮小割合が前記ＰＰＲＴ以下になるまで、継続的に実質的に同時に洗浄及び照射される、実施態様１に記載の方法。
（５）  前記蛍光剤が、フルオレセイン又はその塩を含む、実施態様１に記載の方法。
（６）  前記入射放射線が、約４５０〜約５００ナノメートルのピーク波長を有する、実施態様５に記載の方法。
（７）  前記蛍光発光の前記一部分が、約５２０〜約５３０ナノメートルのピーク波長を有する、実施態様５に記載の方法。
（８）  前記第１の期間が、約０．０１〜約１０秒である、実施態様１に記載の方法。
（９）  前記第２の期間が、約０．００１〜約１５秒である、実施態様１に記載の方法。
（１０）  前記ＰＰＲＴが、約５〜約９５パーセントである、実施態様１に記載の方法。
【００７６】
（１１）  前記ＰＭＴＰが、約０．５〜約１５秒である、実施態様１に記載の方法。
（１２）  前記反射光が、前記蛍光発光の光信号を前記蛍光発光の電気信号に変換する前に、光学フィルターを通して前記蛍光発光と同時に搬送され、前記フィルターが、約５１５ナノメートルを超える波長を有する光を除去する、実施態様２に記載の方法。
（１３）  前記補償プラーク値が、前記蛍光発光の前記収集地点と、前記口腔の前記表面との間の距離の関数として決定される、実施態様２に記載の方法。
（１４）  前記ＡＰＶ１からの前記縮小割合が前記ＰＰＲＴ以下のようなとき、又は前記ＰＭＴＰの時間切れのいずれか早いときに、前記デバイスを前記口腔の複数のセクションのうちの別のセクション内に移動させ、位置決めする、実施態様１に記載の方法。
（１５）  前記口腔の前記複数のセクションの全てが洗浄されるまで、工程ｂ〜ｊを繰り返す、実施態様１４に記載の方法。
（１６）  前記洗浄が、音波処理、加圧水、ブラッシング、又はそれらの組み合わせによって達成される、実施態様１に記載の方法。
（１７）  前記ブラッシングが、電動歯ブラシ又は手動歯ブラシによって達成される、実施態様１６に記載の方法。
（１８）  前記洗浄が、音波処理、加圧水、ブラッシング、又はそれらの組み合わせによって達成される、実施態様１５に記載の方法。
（１９）  前記ブラッシングが、電動歯ブラシ又は手動歯ブラシによって達成される、実施態様１８に記載の方法。
（２０）  前記ＡＰＶ１が、前記ＰＰＴＶ未満の場合、複数のセクションのうちの別のセクション内に前記デバイスを移動及び位置決めし、工程ｂ〜ｅを繰り返す、実施態様１に記載の方法。
【００７７】
（２１）  口腔の表面のプラークを検出するためのデバイスであって、前記デバイスは、
前記口腔の前記表面に入射放射線を指向させるための放射線源と、
反射光及び蛍光発光を収集するための集光器（optical collectors）と、
前記収集された反射光及び前記収集された蛍光発光を前記デバイス内に搬送するための光学経路と、
前記反射光及び前記蛍光発光の光学的光信号を電気信号に変換するための手段と、
補償プラーク値を決定するために前記反射光及び前記蛍光発光の前記電気信号を数学的に操作するための手段と、
前記口腔の前記表面を洗浄するための手段と、
を備える、デバイス。
（２２）  前記集光器が光ファイバーを含む、実施態様２１に記載のデバイス。
（２３）  前記光学経路が光ファイバーを含む、実施態様２１に記載のデバイス。
（２４）  前記光学経路が前記光ファイバーを含む、実施態様２３に記載のデバイス。
（２５）  前記反射光及び蛍光発光の前記光学的光信号を前記電気信号に変換する前記手段が、光変換器を含む、実施態様２１に記載のデバイス。
（２６）  前記反射光及び前記蛍光発光の前記電気信号を増幅又は調整する手段を更に備える、実施態様２１に記載のデバイス。
（２７）  前記表面との接触前に、前記入射放射線が通過する第１の光学フィルターを更に備える、実施態様２２に記載のデバイス。
（２８）  前記光学的光信号を前記電気信号に変換する前に、前記反射光の第２の部分と前記蛍光発光の第１の部分とが通って搬送される、第２の光学フィルターを更に備える、実施態様２１に記載のデバイス。
（２９）  前記光学的光信号を前記電気信号に変換する前に、前記反射光の第１の部分と前記蛍光発光の第２の部分とが通って搬送される、第３の光学フィルターを更に備える、実施態様２１に記載のデバイス。
（３０）  前記反射光及び前記蛍光発光の前記電気信号を数学的に操作する前記手段が、データ処理装置を備え、前記データ処理装置が、前記電気信号の操作前に、前記反射光及び前記蛍光発光の前記電気信号をアナログフォーマットからデジタルフォーマットに変換するアナログ−デジタル変換器を更に備える、実施態様２１に記載のデバイス。
【００７８】
（３１）  前記洗浄手段が、歯ブラシを含み、前記歯ブラシが、ヘッドを備え、前記ヘッドが、剛毛を取り付けた面を備える、実施態様２１に記載のデバイス。
（３２）  前記歯ブラシが、手動歯ブラシ又は電動歯ブラシである、実施態様３１に記載のデバイス。
（３３）  前記洗浄手段が、音波処理、加圧水、ブラッシング、又はそれらの組み合わせによって歯を洗浄するのに有効である、実施態様２１に記載のデバイス。
【図１】
2013535235.tif 000005
【図２】
2013535235.tif 000006
【図３】
2013535235.tif 000007
【図４】
2013535235.tif 000008
【図５】
2013535235.tif 000009
【図６】
2013535235.tif 000010
【国際調査報告】
2013535235.tif 000011